(57)【要約】【課題】可撓膜が破れても、応急的な堰の起立を可能とし、堰として最低限の機能を発揮させて信頼性を大幅に向上させることのできる可撓膜堰構造体を提供する。【解決手段】可撓膜堰構造体１は、流体の給排によって起立、倒伏する可撓性袋体３よりなる可撓膜堰の内部に、流体の給排を可能とした複数の可撓性小袋４を収納配置して構成される。可撓性小袋４は、小袋の長手方向の中央部を二つ折りにして可撓性袋体３の内部に列状に並べて収納される。可撓膜堰構造体１は、可撓性袋体３および可撓性小袋４の内部に流体を供給することによって起立し、内部の流体を排出することによって倒伏する。【選択図】図３
2006233746.tif 000002
【特許請求の範囲】
【請求項１】
水路幅方向に延在させて設置され、内部に流体を供給することによって起立し、内部の流体を排出することによって倒伏する長尺の可撓性袋体よりなる可撓膜堰の内部に、相互に独立に流体の給排を可能とした複数の可撓性小袋を収納配置してなる可撓膜堰構造体。
【請求項２】
前記可撓性小袋を、中空帯状体を長手方向の中央部で二つ折りにして構成してなる請求項１に記載の可撓膜堰構造体。
【請求項３】
前記可撓性袋体を、中空帯状体を長手方向の中央部で二つ折りにするとともに、長手方向の両端部を接合させて構成し、その接合端部を上流側に位置させて配設してなる請求項１に記載の可撓膜堰構造体。
【請求項４】
前記可撓性袋体を、中空帯状体を長手方向の中央部で二つ折りにするとともに、長手方向の両端部を自由端として構成し、その折り曲げ部を上流側に位置させて配設してなる請求項１に記載の可撓膜堰構造体。
【請求項５】
前記可撓性小袋を、河床に固定してなる請求項１〜４のいずれかに記載の可撓膜堰構造体。
【請求項６】
前記可撓性袋体を、連続したシート状可撓膜で上流側を覆ってなる請求項１〜５のいずれかに記載の可撓膜堰構造体。
【請求項７】
前記可撓性小袋への配管を２系統にしてなる請求項１〜６のいずれかに記載の可撓膜堰構造体。
【発明の詳細な説明】
【技術分野】
【０００１】
本発明は、空気や水等の流体の供給および排出によって膨張あるいは収縮する可撓膜堰構造体に関し、特に堰の一部に異常が生じた場合であっても、堰としての機能が完全に損なわれることのない可撓膜堰構造体に関するものである。
【背景技術】
【０００２】
近年、敷設が簡単でコストが安いために、空気や水等の流体の供給、排出によって膨張および収縮するいわゆるゴム堰と称される可撓膜堰が広く使用されるに到っている。この可撓膜堰は、例えば河床等に可撓膜体の長手方向を水路幅方向にして配設され、可撓膜体内に流体が供給された姿勢で起立して水を堰き止める。そして、流体が排出された収縮姿勢で倒伏して河川等を開放して水の流下を許容する。
【０００３】
ところで、可撓膜堰は、転石や、流木その他の漂流物の衝突等による破損や、可撓膜自体の寿命によって内圧が低下して意図しない倒伏状態に至るおそれがある。この場合、堰としての機能が損なわれて可撓膜堰によって堰き止められていた上流側の多量の水が急激に流出して下流側に害をもたらす事態も想定される。そのため、図１３に断面図で示すように、可撓膜堰３１を非気密性の外層ゴム３３と、外層ゴム３３に包み込まれて、流体の給排気により膨張収縮する気密性の内部チューブ３４との二重構造として、外層ゴム３３によって、転石等により発生する衝撃から内部チューブ３４が損傷するのを防ぎ、可撓膜堰の倒伏を回避して水害等の発生のおそれを取り除くことのできる可撓膜堰が考え出されている（特許文献１参照）。
【特許文献１】特開平１１−３０３０４９号公報
【発明の開示】
【発明が解決しようとする課題】
【０００４】
しかしながら、可撓膜堰に二重構造を採用しても、外層ゴムを貫く流木の突きささり、いたずら等で内部の袋体まで損傷が発生すると堰が倒壊する可能性が依然として存在する。
【０００５】
本発明は、このような問題点に鑑みてなされたものであり、本発明の目的は、可撓膜が破れても、少なくとも応急的な堰の起立を可能とし、堰として最低限の機能を発揮させて信頼性を大幅に向上させることのできる可撓膜堰構造体を提供することにある。
【課題を解決するための手段】
【０００６】
上記目的を達成するため、本発明の可撓膜堰構造体は、水路幅方向に延在させて設置され、内部に流体を供給することによって起立し、内部の流体を排出することによって倒伏する長尺の可撓性袋体よりなる可撓膜堰の内部に、相互に独立に流体の給排を可能とした複数の可撓性小袋を収納配置してなることを特徴とする。
【０００７】
本発明は、可撓性小袋を、中空帯状体を長手方向の中央部で二つ折りにして構成してなることが好ましい。また、可撓性袋体を、中空帯状体を長手方向の中央部で二つ折りにするとともに、長手方向の両端部を接合させて構成し、その接合端部を上流側に位置させて配設してなり、または、可撓性袋体を、中空帯状体を長手方向の中央部で二つ折りにするとともに、長手方向の両端部を自由端として構成し、その折り曲げ部を上流側に位置させて配設してなることが好ましい。さらに、可撓性小袋を、河床に固定してなることが好ましい。また、可撓性袋体を、連続したシート状可撓膜で上流側を覆ってなり、可撓性小袋への配管を２系統にしてなることが好ましい。
【発明の効果】
【０００８】
本発明の可撓膜堰構造体は、可撓性袋体の一部に亀裂が入って、内部の流体が洩れ出しても可撓性小袋があるために倒伏せず、ある程度の堰高を保つことができる。したがって、上流側の水が急激に流出して下流側に害をもたらす事態を避けることができる。
【０００９】
また、本発明の可撓膜堰構造体は、可撓性袋体に亀裂が入って内部の流体が洩れ出すと、可撓性袋体収縮して、可撓性袋体の形状が可撓性小袋の形状に倣うため、袋体の異常を、目視点検による監視で発見することができ、早急に対策が立てやすい。
【００１０】
さらに、本発明の可撓膜堰構造体は、可撓性小袋が河床に配設されたアンカーボルトによって河床に固定されていれば、可撓性袋体が大きく破れても可撓性小袋が下流に流れ出すことがない。
【発明を実施するための最良の形態】
【００１１】
次に、本発明の実施の形態について図面を参照して説明する。図１は、本発明の第１の実施の形態に係る可撓膜堰構造体の正面図であり、図２は、図１のＡ―Ａ線に沿う断面図であり、図３は、第１の実施の形態に係る可撓膜堰構造体の断面斜視図である。
【００１２】
可撓膜堰構造体１は、図１に示すように、用水の取水等のために水路２を開閉すべく水路幅方向（矢印Ｗ方向）に延在させて設置され、図２および図３に示すように、内部に空気や水等の流体を供給することによって起立し、内部の流体を排出することによって倒伏する長尺の可撓性袋体３よりなる可撓膜堰の内部に、流体の給排を可能とした複数の可撓性小袋４を収納配置して構成されている。可撓膜堰は、可撓性袋体３と可撓性小袋４に流体を供給することによって膨張起立して水路２を閉め、流体を排出することによって収縮倒伏して水路２を開く。
【００１３】
図１〜図３において、河床コンクリート１０および両岸の法面部１１には、水路幅方向（矢印Ｗ方向）全長に亘り、アンカーボルト１３を貫通させた埋込金具１２が所定の間隔で配設されており、可撓性袋体３は、図２に示すように、可撓性袋体３の重合部６，７の固定用ボルト孔および押さえ金具１４にアンカーボルト１３を貫通させ、ナット１５を螺合させることによって河床コンクリート１０および法面部１１に気水密に固定されている。
【００１４】
また、可撓性袋体３は、長手方向の一方の端部に、可撓性袋体３の内部に空気や水等の流体を供給するための図示しない給排気手段を備えており、可撓性袋体３は、給排気手段からの流体の供給、排出によって膨張あるいは収縮する。
【００１５】
可撓性小袋４は、図４に斜視図で例示するように、中空帯状体であり、長尺の２枚の可撓膜を、間に離形シートを挟んで重ね合わせ、離型シートを挟んでいない部分を加硫接着し、次に離形シートを抜き取って、抜き取られて開放された可撓膜の長手方向の両端部を閉止して形成される。離型シートには、ポリエチレン樹脂シート等が用いられる。そして、中空帯状体の長手方向の中央部を二つ折りにして、閉止した両端部１７同士を加硫接合またはクランプする。そして、可撓性小袋４は、離形シートの位置に形成される内側空間に流体が供給されることによって膨張する。図５は、膨張した状態の可撓性小袋の側面図である。
【００１６】
可撓性袋体３の内部には、複数個の可撓性小袋４が、流体を排出した状態で、図２に示すように、両端部１７同士の加硫接合部である接合端部２２を上流側にして列状に並べて内装される。
【００１７】
また、可撓性袋体３の内部には、個々の可撓性小袋４に空気や水等の流体を給排するための図示しないパイプが配設されており、個々の可撓性小袋４は、このパイプからの流体の供給、排出によって、相互に独立に膨張あるいは収縮する。この場合、小袋の数だけ配管が必要となるが、２系統のみにして節約することができる。そのときには、隣り合う２つの小袋が破損しない限り、堰としての機能は保たれる。
【００１８】
可撓膜堰は、可撓性袋体３と個々の可撓性小袋４に流体が供給され、可撓性袋体３と可撓性小袋４が膨張することによって起立して水路２を閉め、可撓性袋体３と個々の可撓性小袋４から流体が排出され、可撓性袋体３と可撓性小袋４が収縮することによって倒伏して水路２を開く。
【００１９】
なお、可撓性小袋４の内部の流体圧力が可撓性袋体３の内部の流体圧力よりも小さいと、可撓性小袋４が可撓性袋体３の内部で形状を保つことができなくなるので、可撓性小袋４の内部の圧力は、可撓性袋体３の内部の圧力よりも大きいことが好ましい。
【００２０】
また、可撓性袋体３と可撓性小袋４の可撓膜には、ナイロン繊維補強ゴム等が用いられる。
【００２１】
上述した実施の形態に係る可撓膜堰構造体は、転石や、流木その他の漂流物の衝突等によって可撓性袋体の一部に亀裂が入って、内部の流体が洩れ出しても可撓性小袋があるために倒伏せず、ある程度の堰高を保つことができる。したがって、上流側の水が急激に下流側に流出することがなく、大きな災害を引き起こすことがない。また、この可撓膜堰構造体は、可撓性袋体に亀裂が入って流体が洩れ出すと、可撓性袋体が収縮して、可撓性袋体の形状が可撓性小袋の形状に倣うため、袋体の異常を、目視点検による監視で発見することができ、早急に対策が立てやすい。
【００２２】
次に、本発明の第２の実施の形態に係る可撓膜堰構造体について説明する。図６は、本発明の第２の実施の形態に係る可撓膜堰構造体の断面斜視図である。可撓性袋体２３については、第１の実施の形態に係る可撓性袋体３と同様であるので説明は省略する。
【００２３】
可撓性袋体２３に内装される可撓性小袋２４は、図４に示すような中空帯状体であり、長尺の２枚の可撓膜を、間に離形シートを挟んで重ね合わせ、離型シートを挟んでいない部分を加硫接着するかクランプし、次に離形シートを抜き取って、抜き取られて開放された可撓膜の長手方向の両端部を閉止して形成される。図７は、中空帯状体の長手方向の中央部を二つ折りにするとともに、長手方向の両端部を自由端とし、離形シートの位置に形成される内側空間に流体を供給して膨張させた状態を示す可撓性小袋２４の側面図である。
【００２４】
二つ折りにされた複数個の可撓性小袋２４は、流体を排出した状態で、折り曲げ部を上流側にして可撓性袋体２３に列状に並べて内装される。また、個々の可撓性小袋２４は、折り曲げ部を、図８に示すように、可撓性小袋２４毎に用意されたベルト状または棒状の取付手段２１で押さえられて可撓性袋体３の重合部分に取り付けられる。
【００２５】
図９は、可撓性小袋２４が取付手段２１で可撓性袋体２３の重合部分に取り付けられている状態を示す断面図である。取付手段２１は、その両端に取付孔が形成されている。可撓性袋体２３を河床コンクリートに固定する際には、可撓性小袋２４の折り曲げ部を上流側にして可撓性袋体２３に内装し、可撓性袋体２３を構成する２枚の可撓膜１８，１９のそれぞれの重合部６の間に取付手段２１を挟み、重合部６に形成された固定用ボルト孔および取付手段２１の取付孔にアンカーボルトを貫通させ、ナットを螺合させることによって、取付手段２１は、可撓性袋体２３とともに、河床コンクリートに固定される。そして、可撓性小袋２４は、折り曲げ部を取付手段２１で押さえられて河床コンクリートに固定される。
【００２６】
なお、可撓性袋体２３を河床コンクリート１０に固定する際に、図１０に示すように、可撓性袋体２３を構成する可撓膜１８，１９のそれぞれの重合部６の間に剛性板１６を挟み、この剛性板１６に可撓性小袋２４を取付手段２１で取り付けることによって、可撓性小袋２４を剛性板１６を介して河床コンクリートに固定するようにしても良い。
【００２７】
また、上述した実施の形態では、可撓性小袋２４毎に取付手段を用意して可撓性小袋２４を個別に取付手段で河床コンクリートに固定したが、二つ折りにした複数個の可撓性小袋２４の折り曲げ部を、可撓性小袋２４の全てに亘る１つの取付手段で押さえて、全ての可撓性小袋体２４をまとめて河床コンクリートに固定するようにしても良い。
【００２８】
また、河床コンクリート１０に、水路幅方向全長に亘り、２列に所定の間隔でアンカーボルト２６，２７を配設し、図１１に示すように、上流側の列のアンカーボルト２６に可撓性袋体２３の可撓膜１８の重合部６を固定させ、下流側の列のアンカーボルト２７に可撓性袋体３の可撓膜１９の重合部６を固定させ、可撓性袋体２３の内部に上述した可撓性小袋２４を配設するようにしても良い。このような構造の可撓性袋体２３であれば、可撓性小袋２４を河床コンクリートに直接固定することができる。
【００２９】
また、万が一、袋体が大きく破壊すると可撓性小袋だけを残して上流の水が流出することが考えられる。これに対し、図１２に示すように、１枚の連続した保護シートで小袋を覆うことによって、堰としての機能を保つことができる。
【００３０】
可撓性袋体２３の内部には、個々の可撓性小袋２４に空気や水等の流体を給排するための図示しないパイプが配設されており、個々の可撓性小袋２４は、このパイプからの流体の供給、排出によって、相互に独立に膨張あるいは収縮する。
【００３１】
可撓膜堰は、可撓性袋体２３と個々の可撓性小袋２４に流体が供給され、可撓性袋体２３と可撓性小袋２４が膨張することによって起立して水路２を閉め、可撓性袋体２３と個々の可撓性小袋２４から流体が排出され、可撓性袋体２３と可撓性小袋２４が収縮することによって倒伏して水路２を開く。
【００３２】
また、可撓性小袋２４の内部の流体圧力が可撓性袋体２３の内部の流体圧力よりも小さいと、可撓性小袋２４が可撓性袋体２３の内部で形状を保つことができなくなるので、可撓性小袋２４の内部の圧力は、可撓性袋体２３の内部の圧力よりも大きいことが好ましい。
【００３３】
また、可撓性袋体２３と可撓性小袋２４の可撓膜には、ナイロン繊維補強ゴム等が用いられる。
【００３４】
上述した第２の実施の形態に係る可撓膜堰構造体は、転石や、流木その他の漂流物の衝突等によって可撓性袋体の一部に亀裂が入って、内部の流体が洩れ出しても、可撓性小袋があるために倒伏せず、ある程度の堰高を保つことができるため、大きな災害を引き起こすことがなく、また、可撓性袋体が収縮しても、可撓性袋体の形状が可撓性小袋の形状に倣うため、袋体の異常を、目視点検による監視で発見することができ、早急に対策が立てやすいばかりでなく、さらに、可撓性小袋が、河床に配設されたアンカーボルト部分に固定されているので、可撓性袋体が大きく破れても可撓性小袋が下流に流れ出すことがない。
【図面の簡単な説明】
【００３５】
【図１】本発明の第１の実施の形態に係る可撓膜堰構造体の正面図である。
【図２】図１のＡ―Ａ線に沿う断面図である。
【図３】本発明の第１の実施の形態に係る可撓膜堰構造体の断面斜視図である。
【図４】中空帯状体の斜視図である。
【図５】第１の実施の形態に係る可撓性小袋の側面図である。
【図６】本発明の第２の実施の形態に係る可撓膜堰構造体の断面斜視図である。
【図７】第２の実施の形態に係る可撓性小袋の側面図である。
【図８】取付手段で押さえられた可撓性小袋の斜視図である。
【図９】可撓性小袋が取付手段で可撓性袋体の重合部分に固定されている状態を示す断面図である。
【図１０】可撓性小袋を固定する他の例を示す断面図である。
【図１１】可撓性袋体の他の例を示す断面図である。
【図１２】可撓性小袋が保護シートで覆われた状態を示す断面図である。
【図１３】外層ゴムと内部チューブからなる従来の二重構造の可撓膜堰の断面図である。
【符号の説明】
【００３６】
１  可撓膜堰構造体
２  水路
３、２３  可撓性袋体
４，２４  可撓性小袋
５，６，７  重合部
１０  河床コンクリート
１１  法面部
１２  埋込金具
１３，２６，２７  アンカーボルト
１４  押さえ金具
１５  ナット
１６  剛性板
１７  両端部
１８，１９  可撓膜
２１  取付手段
２２  接合端部
２５  保護シート
３１  可撓膜堰
３３  外層ゴム
３４  内部チューブ
【図１】
2006233746.tif 000003
【図２】
2006233746.tif 000004
【図３】
2006233746.tif 000005
【図４】
2006233746.tif 000006
【図５】
2006233746.tif 000007
【図６】
2006233746.tif 000008
【図７】
2006233746.tif 000009
【図８】
2006233746.tif 000010
【図９】
2006233746.tif 000011
【図１０】
2006233746.tif 000012
【図１１】
2006233746.tif 000013
【図１２】
2006233746.tif 000014
【図１３】
2006233746.tif 000015